(57)【要約】【課題】  ポインティングデバイスに多機能な処理動作を持たせて、容易かつ迅速に検索可能にする。【解決手段】  ポインティングデバイスにカーソルキー操作と押圧移動操作を持たせ、キー操作では押圧力によってカーソル移動速度を変化させると共に、カーソルの移動距離を変える。また、押圧移動操作では移動量によってカーソルの移動速度を変えると共に、押圧移動操作の速さによってページ送り等他の機能を持たせる。【選択図】  図１
2007257650.tif 000002
【特許請求の範囲】
【請求項１】
カテゴリーを複数の項目に分類し、該各項目を複数の小項目に分類したメニューの複数の項目と特定の項目に対応する複数の小項目を表示する表示部と、押圧面を有し、該押圧面を押圧することによって該表示部に表示されている項目及び小項目を選択することができるポインティングデバイスとを備え、該ポインティングデバイスの該押圧面を押圧しながら回転移動すると、該項目の表示位置が該回転方向に従って順次回転し、該押圧面の上下キーの対応する場所を押圧することによって特定の小項目を検索することを特徴とするポインティングデバイスを用いた端末装置。
【請求項２】
カテゴリーを複数の項目に分類し、該各項目を複数の小項目に分類したメニューの複数の項目と特定の項目に対応する複数の小項目を表示する表示部と、押圧面を有し、該押圧面を押圧することによって該表示部に表示されている項目及び小項目を選択することができるポインティングデバイスとを備え、該ポインティングデバイスの該押圧面を押圧しながら回転移動すると、該項目が順次選択され、該選択された項目の場所に該選択された項目の小項目が表示され、表示位置が該回転方向に従って回転し、該押圧面の上下キーの対応する場所を押圧することによって特定の小項目を検索することを特徴とするポインティングデバイスを用いた端末装置。
【請求項３】
表示部と、該表示部に表示されたデータをカーソルによってスクロールすることができる押圧面を有するポインティングデバイスとを備え、該押圧面を押圧する強さに応じて該カーソルの移動速度を変化させることを特徴とするポインティングデバイスを用いた端末装置。
【請求項４】
請求項３記載のポインティングデバイスを用いた端末装置において、該押圧面の押圧の強さによって該カーソルの移動距離を変化させることを特徴とするポインティングデバイスを用いた端末装置。
【請求項５】
請求項３又は４記載のポインティングデバイスを用いた端末装置において、該押圧面の押圧場所に応じて該カーソルの移動方向を決めることを特徴とするポインティングデバイスを用いた端末装置。
【請求項６】
表示部と、該表示部に表示されたデータをカーソルによってスクロールすることができる押圧面を有するポインティングデバイスとを備え、該押圧面を押圧しながら移動する場合、該移動量に応じてカーソルの移動量を変化させることを特徴とするポインティングデバイスを用いた端末装置。
【請求項７】
請求項６記載のポインティングデバイスを用いた端末装置において、該押圧面の押圧移動速度を所定の値より大きくすることによって該表示部に表示されているデータのページめくりを行うことを特徴とするポインティングデバイスを用いた端末装置。
【請求項８】
請求項１乃至６のいずれかに記載のポインティングデバイスを用いた端末装置において、該押圧面を上方向又は下方向に押圧移動させる場合、該押圧面の押圧移動させる面が左右いずかによらず、また、該押圧面の押圧移動開始点の位置によらず該カーソルを同一方向に移動させることを特徴とするポインティングデバイスを用いた端末装置。
【請求項９】
請求項３乃至６のいずれかに記載のポインティングデバイスを用いた端末装置において、該表示部に表示されている該データを上下方向にスクロールする場合、該押圧面を押圧しながら回転移動させた場合、押圧開始近傍における上下の押圧移動方向と、他の押圧移動場所での移動方向が異なっても、押圧開始近傍における上下の押圧移動方向に準じた方向への移動を継続することを特徴とするポインティングデバイスを用いた端末装置。
【請求項１０】
請求項３、４、５、６又は９に記載のポインティングデバイスを用いた端末装置において、上下方向にスクロールする場合、該押圧面を横方向に移動する操作を無効にすることを特徴とするポインティングデバイスを用いた端末装置。
【請求項１１】
請求項３、４、５、６、９又は１０に記載のポインティングデバイスを用いた端末装置において、該押圧面を一方向に回転させた後、該押圧面を押圧させたまま反対方向に回転させた場合には、スクロール方向を逆にすることを特徴とするポインティングデバイスを用いた端末装置。
【発明の詳細な説明】
【技術分野】
【０００１】
本発明はディスプレイ部に表示されている画面をポインティングデバイスを用いて移動させている携帯電話、携帯端末などの端末装置に係り、ポインディングデバイスに対する押圧方向、押圧速度等ポインティングデバイスに対する押圧加減によってカーソルなど方向と速さ等をコントロール可能な技術に関する。
【背景技術】
【０００２】
従来のポインティングデバイスを用いた端末装置では、ポインティングデバイスは上下左右キーとしてのみ働く。従って、ポインティングしたい場所にたどり着くには上下何れかに移動させた後、左右の何れかに移動させる、又はこの逆に左右何れかの方向に移動させた後、上下何れかに移動させる必要があった。
【発明の開示】
【発明が解決しようとする課題】
【０００３】
従って、ディスプレイに表示されている画面、又は異なるページの画面において、所要の場所にポインタを移動させるのに時間がかかると言う問題がある。
【０００４】
本発明の目的は上記従来の欠点を解決し、ポインティングデバイスに対する押圧の仕方によって、種々のポインティング動作をすることができるポインティングデバイスを用いた端末装置を提供することにある。
【課題を解決するための手段】
【０００５】
上記の目的を達成するために、第１の発明では、ポインティングデバイスを用いた端末装置は、カテゴリーを複数の項目に分類し、該各項目を複数の小項目に分類したメニューの複数の項目と特定の項目に対応する複数の小項目を表示する表示部と、押圧面を有し、該押圧面を押圧することによって該表示部に表示されている項目及び小項目を選択することができるポインティングデバイスとを備え、該ポインティングデバイスの該押圧面を押圧しながら回転移動すると、該項目の表示位置が該回転方向に従って順次回転し、該押圧面の上下キーの対応する場所を押圧することによって特定の小項目を検索する。
【０００６】
第２の発明では、ポインティングデバイスを用いた端末装置は、カテゴリーを複数の項目に分類し、該各項目を複数の小項目に分類したメニューの複数の項目と特定の項目に対応する複数の小項目を表示する表示部と、押圧面を有し、該押圧面を押圧することによって該表示部に表示されている項目及び小項目を選択することができるポインティングデバイスとを備え、該ポインティングデバイスの該押圧面を押圧しながら回転移動すると、該項目が順次選択され、該選択された項目の場所に該選択された項目の小項目が表示され、表示位置が該回転方向に従って回転し、該押圧面の上下キーの対応する場所を押圧することによって特定の小項目を検索する。
【０００７】
第３の発明では、ポインティングデバイスを用いた端末装置は、表示部と、該表示部に表示されたデータをカーソルによってスクロールすることができる押圧面を有するポインティングデバイスとを備え、該押圧面を押圧する強さに応じて該カーソルの移動速度を変化させる。
【０００８】
第４の発明では、第３の発明において、該押圧面の押圧の強さによって該カーソルの移動距離を変化させる。
【０００９】
第５の発明では、第３又は４の発明において、該押圧面の押圧場所に応じて該カーソルの移動方向を決める。
【００１０】
第６の発明では、ポインティングデバイスを用いた端末装置は、表示部と、該表示部に表示されたデータをカーソルによってスクロールすることができる押圧面を有するポインティングデバイスとを備え、該押圧面を押圧しながら移動する場合、該移動量に応じてカーソルの移動量を変化させる。
【００１１】
第７の発明では、第６の発明において、該押圧面の押圧移動速度を所定の値より大きくすることによって該表示部に表示されているデータのページめくりを行う。
【００１２】
第８の発明では、第１乃至６のいずれかに記載の発明において、該押圧面を上方向又は下方向に押圧移動させる場合、該押圧面の押圧移動させる面が左右いずかによらず、また、該押圧面の押圧移動開始点の位置によらず該カーソルを同一方向に移動させる。
【００１３】
第９の発明では、第３乃至６のいずれかに記載の発明において、該表示部に表示されている該データを上下方向にスクロールする場合、該押圧面を押圧しながら回転移動させた場合、押圧開始近傍における上下の押圧移動方向と、他の押圧移動場所での移動方向が異なっても、押圧開始近傍における上下の押圧移動方向に準じた方向への移動を継続する。
【００１４】
第１０の発明では、第３、４、５、６又は９に記載の発明において、上下方向にスクロールする場合、該押圧面を横方向に移動する操作を無効にする。
【００１５】
第１１の発明では、第３、４、５、６、９又は１０に記載のはつめいにおいて、ポインティングデバイスを用いた端末装置において、該押圧面を一方向に回転させた後、該押圧面を押圧させたまま反対方向に回転させた場合には、スクロール方向を逆にする。
【発明の効果】
【００１６】
本発明によれば、ポインティングデバイスを用いて迅速かつ容易に検索することができる。
【発明を実施するための最良の形態】
【００１７】
以下、本発明の実施の形態について、実施例を用い、図を参照して説明する。
以下の本発明の実施例では端末装置を携帯端末装置、例えば携帯電話に応用した場合について説明するが、携帯端末装置に限ったことはなく他の電子機器に適用することもできる。
図１は本発明によるポインティングデバイスを使用する携帯端末装置の一実施例を示す斜視図である。図１に示されているように、表示部４０と発光部８２は、上ケース１００に配置され、ポインティングデバイス７０とキー入力部６０は、下ケース１１０に配置されている。ポインティング部７０は、利用者が押圧を入力する押圧面７１とセンターキー７２を有している。
【００１８】
また、表示部４０と発光部８２は近い位置に配置されており、利用者は表示部４０を見ながら発光部８２を確認する事が出来る。
【００１９】
次に、本発明による携帯端末装置の全体構成を図２に示す。
図２は図１に示す携帯端末装置の回路構成の一実施例を示すブロック図である。図１に示されているように、アンテナ１０と、アンテナ１０に接続された高周波回路部２０と、各種の機能の制御手段としてのＣＰＵ３０とを備えている。ＣＰＵ３０には表示部４０と、メモリ部５０と、キー入力部６０と、ポインティング部７０と、駆動回路部８０と、音声回路部９０とが接続されている。ポインティング部７０は利用者の操作により、その押圧力、押圧位置や押圧方向によって対応した電圧信号をＣＰＵ３０に出力する。ＣＰＵ３０は、ＡＤ変換回路３１を備えており、ポインティング部７０からの電圧信号を読み取る事ができる。また、ＣＰＵ３０はメモリ部５０に記憶された制御プログラムにしたがって各部を制御している。駆動回路部８０には、振動発生部８１と、発光部８２が接続されており、ＣＰＵ３０からの制御に基づいて振動発生部８１と発光部８２の動作量と動作パターンを制御する。また、音声回路部９０は、スピーカ９１と、レシーバ９３が接続されている。
【００２０】
次に、携帯端末装置、例えば、携帯電話のトップメニューについて、図３を用いて説明する。
図３は携帯端末装置のトップメニューの一実施例を示すテーブルである。図のテーブルはカテゴリー欄３３を示し、カテゴリー欄３３はＡ〜Ｈ項目に分かれている。カテゴリー欄３３において、Ａは電話帳を、Ｂはメールを、Ｃはサービスを、Ｄはマイ手帳を、Ｅはツールを、Ｆは通話設定を、Ｇは待ち受け設定を、Ｈはその他を示している。カテゴリー欄３３の各項目Ａ〜Ｈは３乃至４の小項目に分かれている。今、項目Ａ〜Ｈの各小項目をＡ〜Ｈに１〜４の数字をつけて表示する。例えば、Ａ項目の内、小項目Ａ１はアドレス帳を、小項目Ａ２は発信履歴を、小項目Ａ３は着信履歴を、小項目Ａ４はプロフィールを表すとする。項目Ｂは小項目Ｂ１〜Ｂ３に分かれており、例えばＢ３はおしゃべりを示す。項目Ｃは小項目Ｃ１〜Ｃ４に分かれており、例えばＣ４はｗｅｂを示す。項目Ｄは小項目Ｄ１〜Ｄ４に分かれており、例えばＤ４はデータフォルダを示す。項目Ｅは小項目Ｅ１〜Ｅ４に分かれており、例えばＥ４はアラーム設定を示す。項目Ｆは小項目Ｆ１〜Ｆ４に分かれており、例えばＦ４は伝言／マナーを示す。項目Ｇは小項目Ｇ１〜Ｇ４に分かれており、例えばＧ４はセキュリティを示す。項目Ｈは小項目Ｈ１〜Ｈ３に分かれており、例えばＨ３は基本設定を示す。
【００２１】
携帯端末装置にこの様なトップメニューを備えている場合、各項目Ａ〜Ｈの小項目の内、必要とする小項目を容易に、しかも迅速に検索できるようにする必要がある。
以下、図４を用いて、必要とする小項目を容易に、しかも迅速に検索する手法について説明する。
図４はメニュー選択動作を説明するためのトップメニューの移動とポインティングデバイスの操作の関係を示す図である。図４（ａ）はトップメニューの項目及び小項目第１の配置を示す平面図、図４（ｂ）はトップメニューの項目及び小項目の第２の配置を示す平面図、図４（ｃ）はトップメニューの項目及び小項目の第３の配置を示す平面図、図４（ｄ）は図４（ｂ）に示す小項目の選択状況を示す平面図４（ｅ）は図４（ａ）に示す小項目の選択状況を示す平面図である。
【００２２】
図４（ａ）〜（ｃ）を用いて、押圧移動操作について説明し、図４（ｄ）〜（ｅ）を用いてカーソルキー操作について説明する。
今、待ち受け画面には図４（ａ）に示す画面が表示されているとする。
【００２３】
図４（ａ）に示すようにカテゴリーの項目Ａ〜Ｈが配置されており、項目Ａの小項目Ａ１〜Ａ４が表示されている。待ち受け画面にこの様な画面が表示されている場合、ポインティングデバイス７０の押圧面７１を押圧しながら左回転させるとカテゴリーの項目Ａ〜Ｈが１個分左に回転（例えば、左に回転し、順に隣の位置に移動）し、図４（ｂ）に示す用に表示される。即ち、図４（ａ）の項目Ｂの位置に項目Ａが表示され、図４（ａ）の項目Ａの位置に項目Ｈが表示され、項目Ｈに対しては小項目Ｈ１〜Ｈ４（但し、小項目Ｈ４に対しては何も割り当てられていない。）が表示される。
【００２４】
次に、図４（ａ）に示す状態から、ポインティングデバイス７０「の押圧面７１を押圧しながら右回転させると、図４（ｃ）に示す画面に変わる。この場合、図４（ａ）の項目Ａが表示されていた場所に項目Ｂが小項目Ｂ１〜Ｂ４の状態で表示され、図４（ａ）の項目Ｈが表示されていた場所に項目Ａが表示される。この様に、ポインティングデバイス７０の押圧面７１を押圧しながら左、又は右に回転させると、それに応じて、カテゴリーの項目Ａ〜Ｈが回転し、特定位置の配置された項目は小項目まで表示される。
【００２５】
図４（ｂ）に示す画面で、押圧面の上下キーの上キーに相当する部分を押圧すると、図４（ｂ）では、小項目Ｈ１にカーソルが置かれた状態になっているが、図４（ｄ）に示すように、小項目Ｈ４にカーソル位置が変化する。更に、押圧面の上キーの位置を押圧すると、Ｈ３、Ｈ２のように、カーソルが置かれた状態に変化する。
【００２６】
同様に、図４（ａ）に示すように、小項目Ａ１にカーソルが置かれた状態から、ポインティングデバイス７０の押圧面７１の下キーに相当する部分を押圧すると、図４（ｅ）に示すように、小項目Ａ２にカーソルが置かれた状態のなる。更に、押圧面７１の下キー部分を押圧すると、カーソルが小項目Ａ３に移動する。
これらの画面で、センターキー７２を押下すると、その画面の詳細が表示される。
【００２７】
次に、図５を用いてトップメニューの選択動作について説明する。
図５はメニュー選択動作を説明するためのトップメニューの他の実施例を示す平面図であり、図５（ａ）はトップメニューの特定項目の小項目の配置を示す平面図、図５（ｂ）はトップメニューの他の項目の小項目の配置を示す平面図である。
図５（ａ）に示すようにトップメニューの項目Ａ〜Ｈが配置されており、項目Ａの小項目Ａ１〜Ａ４が表示されている。この状態で、ポインティングデバイス７０の押圧面７１を左回転方向に押圧すると、図５（ｂ）に示すように、項目Ａ〜Ｈの位置は変わらないが、項目Ｂの位置に小項目Ｂ１〜Ｂ４が表示される。
図５（ａ）に示す状態から、ポインティングデバイス７０の押圧面７１を右回転方向に押圧移動すると、項目Ｈの位置に、項目Ｈの小項目Ｈ１〜Ｈ４が表示される。
【００２８】
この様に、本実施例では、ポインティングデバイス７０の押圧面７１を左右いずれの回転方向に押圧移動しても、トップメニューの各項目Ａ〜Ｈの位置は変化しないが、小項目が表示される項目が変化する。
【００２９】
次に、ポインティングデバイスの他の使い方について、図６を用いて説明する。
図６はポインティングデバイスを用いて名前を検索する場合の一実施例を説明するための名前検索テーブルであり、図６（ａ）〜図６（ｄ）はカーソル位置が異なる名前検索テーブルを示す。今、表示部４０には名前検索が表示されており、図６（ａ）に示すように、カーソルは「佐藤さんの携帯電話」に置かれている。この状態で、ポインティングデバイス７０の押圧面７１の下キー部分を通常の強さで押圧すると、通常速度のカーソル移動となり、キー入力１回に相当する量だけカーソルが移動する。即ち、図６（ｂ）に示すように、カーソルは「佐藤さんの携帯電話」から「長谷川さんの携帯」に移動する。この状態から、ポインティングデバイス７０の押圧面７１の下キーに相当する部分をやや強く押圧移動すると、やや早いカーソル移動となり、きー入力２回分に相当する分だけカーソルは移動する。即ち、カーソルは図６（ｂ）の「長谷川さんの携帯」置かれている状態から図６（ｃ）の「須藤さんの自宅」位置に移動する。次に、図６（ｃ）に示すカーソルの位置からポインティングデバイス７０の押圧面７１の下キー部分を強く押すと、カーソルは早く移動し、キー入力４回に相当する分だけカーソルは移動する。従って、カーソルは図６（ｃ）の「須藤さんの自宅」位置から「佐々木さんの自宅」の位置に移動する。
【００３０】
本実施例では、ポインティングデバイス７０の押圧面７１の押圧の強さによって、キー１回、２回、４回押した場合に相当すると説明下が、キーの何回分に相当するかは設計上の問題であり、どのように変更しても良い。
このように、本実施例では、ポインティングデバイス７０の押圧面７１を押圧移動する強さによってカーソルの移動速度が変化し、上下左右キーの複数回に相当する分だけカーソルを移動させることができる。
【００３１】
以上述べたポインティングデバイスを上下左右、上下左右斜めキーとして使用する場合の例について図７を用いて説明する。
図７は本発明によるポインティングデバイスの動作処理の一実施例を説明するための模式図であり、図７（ａ）はポインティングデバイスを上下左右キーとして用いる場合を示し、図７（ｂ）はポインティングデバイスを上下左右キーとして用いる場合を示す。
図７（ａ）において、押圧面７１の上下左右方向の位置を押すと、カーソルとして動作する。斜め方向を押した時にはキーとして受け付けない。押し続けると、また、強く押すほどカーソルの動きが速くなる。よって、押す力を加減することによって、カーソルキーの動く速度をコントロールすることができる。本機能によって、待ち受け画面や選択画面の検索を迅速に行うことができる。
【００３２】
図７（ｂ）において、ポインティングデバイス７０の押圧面７１の上下左右方向に加え、斜め方向を押した時に、斜め方向にカーソルが移動されるように構成されている。本実施例では、カーソルは８方向に移動できるように構成されているが、斜め方向の分割数を増やすことによって、１６方向等多くの方向を増やすことができる。本実施例では、押し続けると、又は強く押すとカーソルキーの動きを速くすることができるので、カーソルキーの動く速度をコントロールすることができる。このポインティングデバイス７０は、文章編集、サムネイル選択又は静止画編集の選択に好適である。
【００３３】
次に、ポインティングデバイスの押圧移動操作の更に他の使い方、操作について、図８を用いて説明する。
図８はポインティングデバイスを用いて名前を検索する場合の他の実施例を説明するための名前検索テーブルであり、図８（ａ）〜図８（ｃ）はカーソル位置が異なる名前検索テーブルを示す。
携帯端末装置の表示部４０で、名前検索のテーブルが表示され、図８（ａ）に示すように、カーソルが「佐藤さんの携帯電話」を指している場合、ポインティングデバイス７０の押圧面７１を、上から下の方向に押圧しながら通常の速度で移動させると、この移動量に応じてカーソルが移動する。その結果、カーソルは、例えば、図８（ｂ）に示すように、キー２回入力に相当する、「新藤さんの携
帯」に移動する。ポインティングデバイス７０の押圧面７１の移動量を半分にすれば、キー入力１回分に相当する分だけカーソルは移動するため、カーソルは「佐藤さんの携帯電話」から「長谷川さんの携帯」まで移動する。
本実施例において、ポインティングデバイス７０の押圧面７１を下から上に押圧しながら移動させると、カーソルは上方向に移動する。前ページがある場合には、前ページまで移動することができる。
【００３４】
次に、図８（ｂ）のカーソル位置で、ポインティングデバイス７０の押圧面７１を押圧しながら素早く下方に移動させると、ページ送り機能になり、カーソルは次のページに移動する。カーソルは、例えば、図８（ｃ）に示すように、図８（ａ）、（ｂ）に表示されている画面の次のページの画面に移動する。ポインティングデバイス７０の押圧面７１を下から上に素早く移動させると、前のページの画面が表示される。
【００３５】
以上述べたように、本実施例では、ポインティングデバイス７０の押圧面７１の押圧移動量に相当するキー入力回数分だけ、カーソルを移動させることができるので、検索が迅速かつ容易であると共に、人間の感覚に適応した動作で検索、選択することができる。
【００３６】
次にポインティングデバイス７０の押圧移動操作について、図９〜図１２を用いて説明する。
図９は本発明によるポインティングデバイスの動作処理の他の実施例を説明するための模式図であり、図９（ａ）はポインティングデバイスの押圧面の左側を比較的長く押圧移動させた場合を示し、図９（ｂ）はポインティングデバイスの押圧面の右側を比較的長く押圧移動させた場合を示し、図９（ｃ）はポインティングデバイスの押圧面の左下方側を比較的短く押圧移動させた場合を示し、図９（ｄ）はポインティングデバイスの押圧面の左上方側を比較的短く押圧移動させた場合を示す。
【００３７】
本実施例のポインティングデバイス７０では、動かす速さと表示部画面の移動速度、即ちスクロールの速さが対応しており、ポインティングデバイス７０の押圧面７１の押圧移動量（スライド量）によってスクロール量がこのなる。
従って、図９（ａ）と図９（ｂ）に示すようにポインティングデバイス７０の押圧面７１のいずれの側であっても、ポインティングデバイス７０の押圧面７１の押圧移動方向及び移動量（スライド量）は同じである。また、ポインティングデバイス７０の押圧面７１の移動方向は上から下の方向なので、共にカーソルの移動量及び移動方向は同じである。
図９（ｃ）と図９（ｄ）とでは、ポインティングデバイス７０の押圧面７１の押圧起点が異なっているが、移動方向が上から下であり、かつ移動量は同じである。従って、カーソルは下方に同じ量だけ移動する。
また、図示していないが、下から上の方にポインティングデバイス７０の押圧面７１を押圧移動した場合には、カーソルは上方向に向かって移動する。
また、図には示されていないが、ポインティングデバイス７０の押圧面７１を速く動かすことによって、カーソルの移動速度を対応させている。
【００３８】
図１０は本発明によるポインティングデバイスの動作処理の更に他の実施例を説明するための模式図であり、図１０（ａ）はポインティングデバイスの押圧面を、右回転方向に１８０°以上押圧移動した場合を示し、図１０（ｂ）はポインティングデバイスの押圧面を、左回転方向に１８０°以上押圧移動した場合を示し、図１０（ｃ）はポインティングデバイスの押圧面を略１８０°右回転方向に押圧移動した場合を示し、図１０（ｄ）はポインティングデバイスの押圧面を、略１８０°左回転方向に押圧移動した場合を示す。
本実施例においても、押圧移動速度によって、カーソルの移動速度が異なる。
【００３９】
図１０（ａ）と図１０（ｂ）とでは、回転方向が異なるが、共に起点からの摺動方向は下方向であるので、この場合、カーソルは下方向に移動する。また、押圧面７１を押圧移動する終点近傍では、押圧面７１を下から上の方に押圧移動することになり、起点での方向が逆になるが、この場合でも、カーソルの動きは、終点近傍の押圧移動方向には左右されず、最初の動き、即ち起点近傍での押圧移動方向と同じ移動を続ける。
図１０（ｃ）と図１０（ｄ）に示すように、押圧面７１を押圧移動させた場合も、同じ理由によって、カーソルは上から下の方に移動する。
図１０（ａ）から図１０（ｄ）とは逆に押圧面７１を押圧移動させると、カーソルは下から上方向に向かって移動する。
【００４０】
本実施例においては、連続して押圧面７１を押圧移動させた場合には途中で方向が変化してもカーソルは同じ方向に移動する。但し、移動（スライド）中に動きを止めた場合には、カーソルの動きも止まり、押圧面の新たな押圧移動方向に従ってカーソルも移動する。また、押圧面７１での移動方向を逆向きにした場合には、カーソルの移動方向も逆になる。即ちカーソルが行き過ぎた場合には押圧面での移動方向を逆にすると、カーソルも逆方向に移動する。
【００４１】
次に、カーソルの移動方向（スクロール方向）が上下しかない場合、押圧面７１を横方向に押圧移動した場合について、図１１を用いて説明する。
【００４２】
図１１は本発明によるポインティングデバイスの動作処理の更に他の実施例を説明するための模式図であり、図１１（ａ）はポインティングデバイスの押圧面を右方向に押圧移動した場合を示し、図１１（ｂ）はポインティングデバイスの押圧面を左方向に押圧移動した場合を示し、図１１（ｃ）はポインティングデバイスの押圧面を最初は右方向に押圧移動し、続けて下方向に押圧移動した場合を示す。
カーソルの移動方向（スクロール方向）が上下方向しかない場合には、図１１（ａ）に示すように、押圧面７１を右方向にのみ押圧移動させた場合にも、図１１（ｂ）に示すように、左方向にのみ押圧移動させた場合も、この押圧移動は無視される。ところが、図１１（ｃ）に示すように、押圧面７１を横方向から下方向に移動させた場合は、横方向の動きは無視されるが、下方向の動きは無視されず、カーソルは下方向に移動される。
なお、本実施例においても、押圧面を押圧移動させる動作を止めた場合には、カーソルの移動も止まる。この時、指を離さなければ、押圧移動操作は継続したままになっている。
【００４３】
本実施例において、表示部４０の画面を左右方向に移動させることができる場合には、押圧面７１を左右方向に移動させることによって、カーソルは左右方向に移動し、その結果、画面を右左方向に移動させることができる。
【００４４】
次に、途中で押圧面７１を押圧移動させる方向（スライド方向）を変えた場合の実施例について図１２を用いて説明する。
図１２は本発明によるポインティングデバイスの動作処理の更に他の実施例を説明するための模式図である。図に示すように、押圧移動操作中に移動する方向を反転させた場合、即ち、最初図の（１）の方向に移動させており、カーソルが下方向に移動されている場合、カーソルが行き過ぎたので、指を離すことなく、押圧面７１を移動する方向を（２）の方向になるように反転させると、カーソルは上方向に移動される。
移動方向を反転させる時に指を離すと、（１）の方向でカーソルは下方向に移動され、更に、（２）の方向でもカーソルは図１２で説明したように、下方向に移動される。よって、この場合には、（１）、（２）共に、カーソルは下方向に移動される。
【００４５】
以上述べたように、本発明によれば、ポインティングデバイスをもちいて、迅速かつ容易に、かつ人間の感覚に対応して検索を行うことができる。
【図面の簡単な説明】
【００４６】
【図１】本発明によるポインティングデバイスを使用する携帯端末装置の一実施例を示す斜視図である。
【図２】図１に示す携帯端末装置の回路構成の一実施例を示すブロック図である。
【図３】携帯端末装置のトップメニューの一実施例を示すテーブルである。
【図４】メニュー選択動作を説明するためのトップメニューの移動とポインティングデバイスの操作の関係を示す図である。
【図５】メニュー選択動作を説明するためのトップメニューの他の実施例を示す平面図である。
【図６】ポインティングデバイスを用いて名前を検索する場合の一実施例を説明するための名前検索テーブルである。
【図７】本発明によるポインティングデバイスの動作処理の一実施例を説明するための模式図である。
【図８】ポインティングデバイスを用いて名前を検索する場合の他の実施例を説明するための名前検索テーブルである。
【図９】本発明によるポインティングデバイスの動作処理の他の実施例を説明するための模式図である。
【図１０】本発明によるポインティングデバイスの動作処理の更に他の実施例を説明するための模式図である。
【図１１】本発明によるポインティングデバイスの動作処理の更に他の実施例を説明するための模式図である。
【図１２】本発明によるポインティングデバイスの動作処理の更に他の実施例を説明するための模式図である。
【符号の説明】
【００４７】
１０…アンテナ部、２０…高周波回路部、３０…ＣＰＵ、３１…ＡＤ変換回路、４０…表示部、５０…メモリ部、６０…キー入力部、７０…ポインティングデバイス、７１…押圧面、８０…駆動回路部、８１…振動発生部、８２…発光部、９０…音声回路部、９１…スピーカ、９３…レシーバ、１００…上ケース、１１０…下ケース。
【図１】
2007257650.tif 000003
【図２】
2007257650.tif 000004
【図３】
2007257650.tif 000005
【図４】
2007257650.tif 000006
【図５】
2007257650.tif 000007
【図６】
2007257650.tif 000008
【図７】
2007257650.tif 000009
【図８】
2007257650.tif 000010
【図９】
2007257650.tif 000011
【図１０】
2007257650.tif 000012
【図１１】
2007257650.tif 000013
【図１２】
2007257650.tif 000014
【手続補正書】
【提出日】平成19年5月11日(2007.5.11)
【手続補正１】
【補正対象書類名】特許請求の範囲
【補正対象項目名】全文
【補正方法】変更
【補正の内容】
【特許請求の範囲】
【請求項１】
表示部と、該表示部に表示されたデータをカーソルによってスクロールすることができる押圧面を有するポインティングデバイスとを備え、該押圧面を押圧する強さに応じて該カーソルの移動速度を変化させることを特徴とするポインティングデバイスを用いた端末装置。
【請求項２】
請求項１記載のポインティングデバイスを用いた端末装置において、該押圧面の押圧の強さによって該カーソルの移動距離を変化させることを特徴とするポインティングデバイスを用いた端末装置。
【請求項３】
請求項１又は２記載のポインティングデバイスを用いた端末装置において、該押圧面の押圧場所に応じて該カーソルの移動方向を決めることを特徴とするポインティングデバイスを用いた端末装置。
【請求項４】
表示部と、該表示部に表示されたデータをカーソルによってスクロールすることができる押圧面を有するポインティングデバイスとを備え、該押圧面を押圧しながら移動する場合、該移動量に応じてカーソルの移動量を変化させることを特徴とするポインティングデバイスを用いた端末装置。
【請求項５】
請求項４記載のポインティングデバイスを用いた端末装置において、該押圧面の押圧移動速度を所定の値より大きくすることによって該表示部に表示されているデータのページめくりを行うことを特徴とするポインティングデバイスを用いた端末装置。